(57)【要約】【課題】ドアパネル１の開放保持および保持解除を容易になすことができるドアストッパー装置６を提供する。【解決手段】ドアパネル１の開閉側端部付近に設けられるストッパー具２は、ドアパネル１の裏面から固定突出され先端７に引っ掛かり部８を有する下片９と、ドアパネル１の内部から突出され先端７に引っ掛かり部８を有しかつその中ほどでドアパネル１に軸１０で支持されて上下に回動する上片１１とで構成され、建物躯体から突出されるストッパー受具４は、その先端の上下に受部１２が形成されるものであって、ストッパー具２がストッパー受具４に引っ掛かることでドアパネル１が開放状態で保持され、押し下げ操作を行うハンドル５に連動して、上片１１の後端１３が押し下げられ揺動してその先端７の引っ掛かり部８が受部１２から離れるとともに、ドアパネル１の沈み込みで下片９の引っ掛かり部８が受部１２から離れ、保持状態が解除されるようになした。【選択図】図１
2009079363.tif 000002
【特許請求の範囲】
【請求項１】
ドアパネルの開閉側端部付近の裏面に設けられるストッパー具と、壁や床等の建物躯体から突出されるストッパー受具とを備え、ストッパー具がストッパー受具に引っ掛かることでドアパネルが開放状態で保持され、ドアパネルの開閉側端部付近の表面に設けられるハンドルを操作することでストッパー具がストッパー受具から外されるドアストッパー装置において、上記ストッパー具は、ドアパネルの裏面から固定突出され先端に引っ掛かり部を有する下片と、この下片に対向してその上側においてドアパネルの内部から突出され先端に引っ掛かり部を有しかつその中ほどでドアパネルに軸で支持されて上下に回動する上片とで構成され、上記ストッパー受具は、その先端の上下に受部が形成されるものであって、押し下げ操作を行うハンドルに連動して、上片の後端が押し下げられ揺動してその先端の引っ掛かり部が受部から離れるとともに、ドアパネルの沈み込みで下片の引っ掛かり部が受部から離れ、保持状態が解除されることを特徴とするドアストッパー装置。
【請求項２】
上記ストッパー具がドアパネル裏面の開閉側端部付近の下方に、上記ストッパー受具が建物躯体の下方に、上記ハンドルがドアパネルの中ほど高さ位置に配置されるものであって、上片の後端とハンドルとがリンク機構を介してドアパネル内部で連結されていることを特徴とする請求項１記載のドアストッパー装置。
【発明の詳細な説明】
【技術分野】
【０００１】
本願発明は、ドアパネルを開放状態で保持し、上記保持状態をハンドルの操作によって解除するためのドアストッパー装置に関するものである。
【背景技術】
【０００２】
従来から、この種のドアストッパー装置として、壁に取り付けられた輪を、ドアパネルの裏面に取り付けられたフックに引っ掛けて開放状態で保持するものが一般的であった。しかし、このようなドアストッパー装置においては、ドアパネルを開放状態で保持する際には輪をフックに引っ掛けなければならず、また上記保持状態を解除する際には引っ掛けた輪をフックから外さなければならず、ドアパネルを開閉する度に面倒な作業を伴うものであった。
【０００３】
この問題点を解決するものとして、特開平７−２３８７３２号公報に示されるような、ハンドルを上下に回動させることによって、ハンドルと連動して動くようにドアパネル内部に設けられたスライド棒が、床に取り付けられたドアストッパー装置の嵌挿孔に嵌挿されて保持されるものがあった。
【特許文献１】特開平７−２３８７３２号公報
【発明の開示】
【発明が解決しようとする課題】
【０００４】
しかしながら、上記従来例（特開平７−２３８７３２号公報）であるドアストッパー装置にあっては、保持状態を解除する際にはハンドルの操作のみによって容易になすことができるが、開放状態で保持する際には上記スライド棒を上記ドアストッパー装置の嵌挿孔に嵌挿しなければならず、スライド棒と嵌挿孔の位置を合わせる手間がかかるものであり面倒であった。
【０００５】
本願発明は、上記従来例の問題点に鑑みてなしたものであって、その目的は、ドアパネルを開放状態で保持する際にも、保持状態を解放して閉める際にも、基本的な動作のみで容易になすことができるドアストッパー装置を提供することである。
【課題を解決するための手段】
【０００６】
上記課題を解決するために、本願請求項１記載の発明は、ドアパネルの開閉側端部付近の裏面に設けられるストッパー具と、壁や床等の建物躯体から突出されるストッパー受具とを備え、ストッパー具がストッパー受具に引っ掛かることでドアパネルが開放状態で保持され、ドアパネルの開閉側端部付近の表面に設けられるハンドルを操作することでストッパー具がストッパー受具から外されるドアストッパー装置において、上記ストッパー具は、ドアパネルの裏面から固定突出され先端に引っ掛かり部を有する下片と、この下片に対向してその上側においてドアパネルの内部から突出され先端に引っ掛かり部を有しかつその中ほどでドアパネルに軸で支持されて上下に回動する上片とで構成され、上記ストッパー受具は、その先端の上下に受部が形成されるものであって、押し下げ操作を行うハンドルに連動して、上片の後端が押し下げられ揺動してその先端の引っ掛かり部が受部から離れるとともに、ドアパネルの沈み込みで下片の引っ掛かり部が受部から離れ、保持状態が解除されることを特徴とするものである。
【０００７】
本願請求項２記載の発明は、上記請求項１記載のドアストッパー装置において、上記ストッパー具がドアパネル裏面の開閉側端部付近の下方に、上記ストッパー受具が建物躯体の下方に、上記ハンドルがドアパネルの中ほど高さ位置に配置されるものであって、上片の後端とハンドルとがリンク機構を介してドアパネル内部で連結されていることを特徴とするものである。
【発明の効果】
【０００８】
本願請求項１記載の発明のドアストッパー装置においては、ドアパネルを開放状態で保持する際には、ドアパネルを開けたときの勢いにより、ストッパー具の上片と下片それぞれの先端に形成される引っ掛かり部がストッパー受具の先端に形成される受部に引っ掛かり、自動的に保持状態となる。また、上記保持状態を解除してドアパネルを閉める際には、ハンドルを押し下げ操作することによって、ハンドル操作に連動して上片の後端が押し下げられ揺動してその先端の引っ掛かり部が受部から離れるとともに、ドアパネルの沈み込みで下片に下向きの加重がかかりその先端の引っ掛かり部が受部から離れることにより、保持状態が解除されてドアパネルを閉めることができる。
【０００９】
本願請求項２記載の発明のドアストッパー装置においては、上記ストッパー具がドアパネル裏面の開閉側端部付近の下方に、上記ストッパー受具が建物躯体の下方に配置されるため、邪魔になることがない。また、上記ハンドルがドアパネルの中ほど高さ位置に配置され、上片の後端とリンク機構を介して連結されているため、腰をかがめてドアパネルの保持および保持解除の作業をする煩わしさが解消される。
【発明を実施するための最良の形態】
【００１０】
以下、本願発明を添付図面図１、図2に示す第１の実施形態に基づいて説明する。
【００１１】
このドアストッパー装置６は、ドアパネル１の開閉側端部付近の裏面に設けられるストッパー具２と、壁３や床等の建物躯体から突出されるストッパー受具４と、ドアパネル１の開閉側の表面に設けられるハンドル５とを備え、ストッパー具２がストッパー受具４に引っ掛かることでドアパネル１が開放状態で保持され、ドアパネル１の開閉側の表面に設けられるハンドル５を操作することでストッパー具２がストッパー受具４から外されるドアストッパー装置６において、上記ストッパー具２は、ドアパネル１の裏面から固定突出され先端７に引っ掛かり部８を有する下片９と、この下片９に対向してその上側においてドアパネル１の内部から突出され先端に引っ掛かり部８を有しかつその中ほどでドアパネル１に軸１０で支持されて上下に回動する上片１１とで構成され、上記ストッパー受具４は、その先端の上下に受部１２が形成されるものであって、押し下げ操作を行うハンドル５に連動して、上片１１の後端１３が押し下げられ揺動してその先端７の引っ掛かり部８が受部１２から離れるとともに、ドアパネル１の沈み込みで下片９の引っ掛かり部８が受部１２から離れ、保持状態が解除されることを特徴とするものである。
【００１２】
また、このドアストッパー装置６は、上記ストッパー具２がドアパネル１裏面の開閉側端部付近の下方に、上記ストッパー受具４が建物躯体の下方に、上記ハンドル５がドアパネル１の中ほど高さ位置に配置されるものであって、上片１１の後端１３とハンドル５とがリンク機構１４を介してドアパネル１内部で連結されていることを特徴とするものである。
【００１３】
以下、第１の実施形態のドアストッパー装置６について、添付図面図１、図２を参照しながら詳述する。
【００１４】
この実施形態のドアストッパー装置６において、開き戸式のドアパネル１の開閉側下端部付近の裏面にストッパー具２が取り付けられる。ストッパー具２は上片１１、下片９および固定片１５から構成される。上片１１と下片９は対向して設けられ、それぞれの先端７の内側には引っ掛かり部８が形成される。ドアパネル１の裏面に沿って、上片１１と下片９の間に固定片１５が設けられる。固定片１５の下端から下片９がドアパネル１に対して直角に突出され、上端には軸１０を介して上片１１が回動可能なように支持される。また、壁３や床等の建物躯体からは、上記ストッパー具２に対応するようにストッパー受具４が突出され、その先端部分には受部１２が形成される。
【００１５】
ドアパネル１表面の開閉側端部付近の中ほど高さ位置にはハンドル５が取り付けられる。ハンドル５は回動軸１６を介して円板１７と連動し回動可能となる。
【００１６】
ストッパー具２の上片１１は、その後端１３がリンク機構１４によってハンドル５と連結されている。上記リンク機構１４は、円板１７およびスライド棒１８から成る。スライド棒１８の上端は、円板１７の円周部付近において軸ピン１９で回動自在に結合される。またスライド棒１８の下端は、ストッパー具２の上片１１の後端１３と軸ピン１９で回動自在に結合される。
【００１７】
上記構造により、ハンドル５を押し下げると、ハンドル５と連動して回動軸１６および円板１７が時計回りに回動し、円板１７と連動してスライド棒１８が押し下げられ、さらに、スライド棒１８と連動して上片１１の後端１３が押し下げられるとともに、同上片１１が揺動してその先端７および引っ掛かり部８が押し上げられる。また、ハンドル５を押し下げると、ドアパネル１全体に下向きの加重が自然にかかりドアパネル１がわずかに沈み込む。その沈み込みによって下片１３とともに引っ掛かり部８が下がる。
【００１８】
したがって、第１の実施形態のドアストッパー装置６においては、ドアパネル１を開放状態で保持する際には、ドアパネル１を開けたときの勢いにより、ストッパー具２の上片１１と下片９それぞれの先端７に形成される引っ掛かり部８がストッパー受具４の先端に形成される受部１２に引っ掛かり、自動的に保持状態となる。また、上記保持状態を解除してドアパネル１を閉める際には、ハンドル５を時計回りに回動させることによって、ハンドル５操作に連動して上片１１の後端１３が押し下げられ揺動してその先端７の引っ掛かり部８が受部１２から離れるとともに、ドアパネル１の沈み込みで下片９に下向きの加重がかかりその先端７の引っ掛かり部８が受部１２から離れることにより、保持状態が解除されてドアパネル１を閉めることができる。
【００１９】
また、上記ストッパー具２がドアパネル１裏面の開閉側端部付近の下方に、上記ストッパー受具４が建物躯体の下方に配置されるため、邪魔になることがない。また、上記ハンドル５がドアパネル１の中ほど高さ位置に配置され、上片１１の後端１３とリンク機構１４を介して連結されているため、腰をかがめてドアパネル１の保持および保持解除の作業をする煩わしさが解消され、腰の不自由な人にとっても容易に操作できる。その上、手によるハンドル５操作のみで操作ができるため、足を使う必要もなく、車椅子利用者にとっても容易に操作できる。
【００２０】
以下、第二の実施形態のドアストッパー装置６について添付図面図３に基づいて詳述する。
【００２１】
ここでは、上記第１の実施形態と相違する事項についてのみ説明し、その他の事項（構成、作用効果等）については、上記第１の実施形態と同様であるのでその説明を省略する。
【００２２】
このドアストッパー装置６において、ハンドル５は、ドアパネル１の内部から表面側に向けて、上記ストッパー具２の上片１１の後端１３の延長上に一体的に突出される。これによって、ハンドル５を押し下げると同時に上片１１の後端が押し下げられ、その動作に直接連動して上片１１の先端７および先端７に形成される引っ掛かり部８が押し上げられて、引っ掛かり部８がストッパー受具４の受部１２から離れる。
【００２３】
また、このドアストッパー装置６において、上記ストッパー具２およびハンドル５ならびにストッパー受具４は、それぞれドアパネル１の開閉側端部の下方に配置される。そのため、通常はハンドル５を足で操作する。
【００２４】
したがって、第２の実施形態のドアストッパー装置６においては、ドアパネル１を開放状態で保持する際には、ドアパネル１を開けたときの勢いにより、ストッパー具２の上片１１と下片９それぞれの先端７に形成される引っ掛かり部８がストッパー受具４の先端に形成される受部１２に引っ掛かり、自動的に保持状態となる。また、上記保持状態を解除してドアパネル１を閉める際には、ハンドル５を足で踏んで押し下げ操作することによって、ハンドル操作に連動して上片１１の後端１３が押し下げられ揺動してその先端７の引っ掛かり部８が受部１２から離れるとともに、ドアパネル１の沈み込みで下片９に下向きの加重がかかりその先端７の引っ掛かり部８が受部１２から離れることにより、保持状態が解除されてドアパネル１を閉めることができる。
【００２５】
また、ハンドル５を足で操作するため、ドアパネル１の保持および保持解除作業を、腰をかがめずにすることができる。さらに、それぞれが下方に配置されているため、邪魔にならない。
【００２６】
なお、この第２の実施形態において、上記ストッパー具２およびハンドル５ならびにストッパー受具４は、ドアパネル１の開閉側端部の中ほど高さ位置に設けてもよい。この場合、ハンドル５の操作は手で行うことができ、腰をかがめて操作をする煩わしさが解消され、腰の不自由な人にとっても容易に操作できる。また、足を使う必要もなく、車椅子利用者にとっても容易に操作できる。
【００２７】
また、上記２つの実施形態において、下片９および固定片１５は、両者が分離されていないL型材を用いてもよい。
【図面の簡単な説明】
【００２８】
【図１】本願発明の第１の実施形態であるドアストッパー装置において、ドアパネルを開放状態で保持した断面図（a）および上記保持状態を解除した断面図（ｂ）である。
【図２】同上のドアストッパー装置において、ハンドルの内部機構を示す斜視図である。
【図３】本願発明の第２の実施形態であるドアストッパー装置において、ロック解除時の断面図である。
【符号の説明】
【００２９】
１  ドアパネル
２  ストッパー具
３  壁
４  ストッパー受具
５  ハンドル
６  ドアストッパー装置
７  先端
８  引っ掛かり部
９  下片
１０  軸
１１  上片
１２  受部
１３  後端
１４  リンク機構
【図１】
2009079363.tif 000003
【図２】
2009079363.tif 000004
【図３】
2009079363.tif 000005